(57)【要約】【課題】同一種類の有価媒体を収納する二つの収納部の間で、有価媒体の移送を行う。【解決手段】有価媒体処理装置（新券出金機１）の制御部８１０は、第１の収納部及び第２の収納部のいずれか一方の収納部から繰り出した有価媒体を、他方の収納部へ搬送しかつ、当該他方の収納部に収納する。制御部はまた、他方の収納部に収納していた有価媒体と、一方の収納部から他方の収納部へ搬送した有価媒体とを足し合わせた量が、他方の収納部の収納量であると確定する。【選択図】図７
2018128807.tif 000002
【特許請求の範囲】
【請求項１】
それぞれ特定の種類の有価媒体を収納する第１の収納部、及び、第２の収納部と、
操作者の操作に応じて、前記第１の収納部又は前記第２の収納部から繰り出した前記有価媒体を払い出す出金部と、
前記第１の収納部、前記第２の収納部及び前記出金部の間で前記有価媒体を搬送する搬送部と、
前記第１の収納部、前記第２の収納部、及び前記出金部の間における前記有価媒体の搬送を制御する制御部と、を備え、
前記制御部は、前記第１の収納部及び前記第２の収納部のいずれか一方の収納部から繰り出した前記有価媒体を、他方の収納部へ搬送しかつ、当該他方の収納部に収納すると共に、前記他方の収納部に収納していた有価媒体と、前記一方の収納部から前記他方の収納部へ搬送した有価媒体とを足し合わせた量が、前記他方の収納部の収納量であると確定する収納量変更処理を実行する有価媒体処理装置。
【請求項２】
前記第１の収納部及び前記第２の収納部はそれぞれ、概算の収納量を検知する検知機構を有し、
前記制御部は、前記収納量変更処理を実行するときには、前記検知機構の検知に基づいて、前記第１の収納部及び前記第２の収納部のうち、収納量の多い方の収納部を前記一方の収納部にし、収納量の少ない方の収納部を前記他方の収納部にする請求項１に記載の有価媒体処理装置。
【請求項３】
前記有価媒体の収納及び繰り出しを行う一時保留部を備え、
前記制御部は、前記収納量変更処理を実行するときに、前記一方の収納部から繰り出した前記有価媒体を、前記一時保留部に一時的に収納すると共に、前記一時保留部から繰り出した前記有価媒体を、前記他方の収納部に収納する請求項１又は２に記載の有価媒体処理装置。
【請求項４】
前記制御部は、前記収納量変更処理を実行するときに、前記他方の収納部から全ての有価媒体を繰り出すと共に、前記一時保留部に一時的に収納することによって、前記他方の収納部の収納量を確認し、
前記制御部はまた、前記他方の収納部の有価媒体を一時的に収納している前記一時保留部に、前記一方の収納部から繰り出した前記有価媒体を追加して収納すると共に、前記一時保留部から繰り出した全ての前記有価媒体を、前記他方の収納部に収納する請求項３に記載の有価媒体処理装置。
【請求項５】
前記制御部は、前記一時保留部から前記他方の収納部へ前記有価媒体を搬送した後に、前記一方の収納部から全ての前記有価媒体を繰り出すと共に、前記一時保留部に一時的に収納しかつ、前記一時保留部から繰り出した前記有価媒体を全て、前記一方の収納部に収納することによって、前記一方の収納部の収納量を確定する請求項４に記載の有価媒体処理装置。
【請求項６】
前記制御部は、前記収納量変更処理を実行するときに、前記他方の収納部の収納量が所定量となるように、前記一方の収納部から繰り出した前記有価媒体を、前記他方の収納部に収納する請求項１〜５のいずれか１項に記載の有価媒体処理装置。
【請求項７】
前記制御部は、前記第１の収納部及び前記第２の収納部の収納量を確認するための精査処理を実行するときに、前記収納量変更処理を併せて実行する請求項１〜６のいずれか1項に記載の有価媒体処理装置。
【請求項８】
それぞれ特定の種類の有価媒体を収納する第１の収納部及び第２の収納部のいずれか一方の収納部から繰り出した前記有価媒体を、他方の収納部へ搬送しかつ、当該他方の収納部に収納する移送工程と、
前記移送工程の後に、前記他方の収納部に収納していた有価媒体と、前記一方の収納部から前記他方の収納部へ搬送した有価媒体とを足し合わせた量が、前記他方の収納部の収納量であると確定する工程と、を備えている有価媒体処理方法。
【請求項９】
前記移送工程は、前記一方の収納部から繰り出した前記有価媒体を、一時保留部に一時的に収納すると共に、前記一時保留部から繰り出した前記有価媒体を、前記他方の収納部に収納する請求項８に記載の有価媒体処理方法。
【請求項１０】
前記他方の収納部から全ての有価媒体を繰り出すと共に、前記一時保留部に一時的に収納することによって、前記他方の収納部の収納量を確認する工程を備え、
前記移送工程は、前記他方の収納部の有価媒体を一時的に収納している前記一時保留部に、前記一方の収納部から繰り出した前記有価媒体を追加して収納すると共に、前記一時保留部から繰り出した全ての有価媒体を、前記他方の収納部に収納する請求項９に記載の有価媒体処理方法。
【請求項１１】
前記移送工程の後に、前記一方の収納部から全ての有価媒体を繰り出すと共に、前記一時保留部に一時的に収納すると共に、前記一時保留部から繰り出した前記有価媒体を全て、前記一方の収納部に収納することによって、前記一方の収納部の収納量を確定する工程を備えている請求項９又は１０に記載の有価媒体処理方法。
【発明の詳細な説明】
【技術分野】
【０００１】
ここに開示する技術は、有価媒体処理装置及び有価媒体処理方法に関する。
【背景技術】
【０００２】
特許文献１には、有価媒体処理装置が記載されている。この有価媒体処理装置は、いわゆる新券（つまり、中央銀行から銀行等の金融機関に配送されかつ、未だ市場流通してない官封券）を収納する収納部を複数、備えている。具体的に、有価媒体処理装置は、新券の一万円札を収納する第１の収納部と、新券の五千円札を収納する第２の収納部と、新券の千円札を収納する第３の収納部と、第４の収納部とを備えている。第４の収納部には、操作者が設定した任意の金種の新券を収納することができる。この構成によって、特許文献１に記載されている有価媒体処理装置では、同一金種の紙幣を、二つの収納部に分けて収納することができる。
【先行技術文献】
【特許文献】
【０００３】
【特許文献１】特開２０１４−７１５２５号公報
【発明の概要】
【発明が解決しようとする課題】
【０００４】
ところで、同一金種の紙幣を収納する二つの収納部の間で紙幣の移送を行うようにすれば、利便性が高くなることに、本願発明者らは気づいた。
【０００５】
例えば、二つの収納部の内のいずれか一方の収納部が、最大収納量を超えて紙幣が収納される過収納状態になったときに、一方の収納部から繰り出した紙幣を、他方の収納部へ移送して収納することにより、過収納状態を容易に解消することができる。
【０００６】
ここで、「最大収納量」は、収納部の構成上、収納部内に紙幣を収納することができる最大の収納量の意味ではなく、有価媒体処理装置の制御上、定められている最大の収納量であり、通常、「最大収納量」は、構成上、紙幣を収納することができる最大の収納量よりも少なく設定される。
【０００７】
過収納状態は、例えば操作者が、収納部に手で紙幣を装填する、いわゆる手装填を行うときに発生する場合がある。前述したように、収納部は、設定されている最大収納量よりも多い紙幣を収納することが可能に構成されているため、手装填を行うと、最大収納量を超えて、紙幣を収納部に収納してしまうことがある。
【０００８】
また、同一金種の紙幣を収納する収納部を複数、備えている処理装置において、エラー解除のために装置内の搬送路等から取り除いた紙幣を、元の収納部に戻すべきところ、別の収納部に誤って収納してしまう結果、当該別の収納部が過収納状態になってしまうこともある。
【０００９】
収納部が過収納状態になると、当該収納部の精査処理（つまり、収納部内の紙幣を全て繰り出すと共に、繰り出した紙幣を全て収納部に収納し直す間に、紙幣を計数することによって、当該収納部の収納量を確定する処理）を実行したときに、収納部内から繰り出した紙幣を一時的に収納する一時保留部が最大収納量に達してしまい、エラー状態となって装置が停止してしまう。
【００１０】
また、収納部が過収納状態であると、紙幣の繰り出しが不良になることが起こりやすい。
【００１１】
前述の通り、同一金種の紙幣を収納する二つの収納部の間で紙幣の移送を行うようにすれば、収納部の過収納状態を容易に解消することができる。
【００１２】
また、二つの収納部の間で紙幣の移送を行うことは、収納部の過収納状態を解消することのみに利用されるものではない。例えば二つの収納部の内の一方の収納部が空になるよう、一方の収納部から他方の収納部へ紙幣を搬送すると、空になった収納部に、新たな紙幣を収納しやすくなる。
【００１３】
さらに、二つの収納部の間で紙幣を移送することに限らず、硬貨、小切手、商品券等を含む有価媒体を、二つの収納部の間で移送することにも適用することができる。
【００１４】
ここに開示する技術はかかる点に鑑みてなされたものであり、その目的とするところは、同一種類の有価媒体を収納する二つの収納部の間で、有価媒体の移送を行うことにある。
【課題を解決するための手段】
【００１５】
ここに開示する技術は有価媒体処理装置に係る。この有価媒体処理装置は、それぞれ特定の種類の有価媒体を収納する第１の収納部、及び、第２の収納部と、操作者の操作に応じて、前記第１の収納部又は前記第２の収納部から繰り出した前記有価媒体を払い出す出金部と、前記第１の収納部、前記第２の収納部及び前記出金部の間で前記有価媒体を搬送する搬送部と、前記第１の収納部、前記第２の収納部、及び前記出金部の間における前記有価媒体の搬送を制御する制御部と、を備える。
【００１６】
そして、前記制御部は、前記第１の収納部及び前記第２の収納部のいずれか一方の収納部から繰り出した前記有価媒体を、他方の収納部へ搬送しかつ、当該他方の収納部に収納すると共に、前記他方の収納部に収納していた有価媒体と、前記一方の収納部から前記他方の収納部へ搬送した有価媒体とを足し合わせた量が、前記他方の収納部の収納量であると確定する収納量変更処理を実行する。
【００１７】
この構成によると、有価媒体処理装置は、第１の収納部及び第２の収納部のいずれか一方の収納部から、他方の収納部に有価媒体を移送することができる。収納量変更処理を実行する結果、他方の収納部の収納量は、移送前に収納していた有価媒体と、一方の収納部から移送された有価媒体とを足し合わせた量となる。
【００１８】
前記第１の収納部及び前記第２の収納部はそれぞれ、概算の収納量を検知する検知機構を有し、前記制御部は、前記収納量変更処理を実行するときには、前記検知機構の検知に基づいて、前記第１の収納部及び前記第２の収納部のうち、収納量の多い方の収納部を前記一方の収納部にし、収納量の少ない方の収納部を前記他方の収納部にする、としてもよい。
【００１９】
この構成によると、第１の収納部及び第２の収納部の内、収納量の多い収納部から収納量の少ない収納部へ、有価媒体を移送することができる。第１の収納部及び第２の収納部それぞれの収納量を変更することができる。有価媒体を一方の収納部から他方の収納部へ移送する結果、他方の収納部の収納量が、一方の収納部の収納量よりも多くなる場合がある（つまり、収納量の大小が逆になる）。また、他方の収納部が最大収納量になる場合もある。さらに、一方の収納部が空になること（つまり、有価媒体が他方の収納部にまとめて収納されること）も起こり得る。
【００２０】
ここで、検知機構は、例えば次のように構成してもよい。つまり、第１の収納部及び第２の収納部がそれぞれ、有価媒体をステージ上に積層して収納する構成であれば、検知機構は、ステージ上に積層されている有価媒体の束の高さを検知するよう構成することによって、第１の収納部及び第２の収納部の概算の収納量を検知することができる。有価媒体の束の高さの検知は、様々な手法を採用することが可能である。また、この他にも、検知機構は、第１の収納部及び第２の収納部が収納している有価媒体の重さを検知することによって、第１の収納部及び第２の収納部の概算の収納量を検知してもよい。
【００２１】
前記有価媒体処理装置は、前記有価媒体の収納及び繰り出しを行う一時保留部を備え、前記制御部は、前記収納量変更処理を実行するときに、前記一方の収納部から繰り出した前記有価媒体を、前記一時保留部に一時的に収納すると共に、前記一時保留部から繰り出した前記有価媒体を、前記他方の収納部に収納する、としてもよい。
【００２２】
このように、一方の収納部から繰り出した有価媒体を、一時保留部を介して、他方の収納部へ移送するようにしてもよい。
【００２３】
前記制御部は、前記収納量変更処理を実行するときに、前記他方の収納部から全ての有価媒体を繰り出すと共に、前記一時保留部に一時的に収納することによって、前記他方の収納部の収納量を確認し、前記制御部はまた、前記他方の収納部の有価媒体を一時的に収納している前記一時保留部に、前記一方の収納部から繰り出した前記有価媒体を追加して収納すると共に、前記一時保留部から繰り出した全ての前記有価媒体を、前記他方の収納部に収納する、としてもよい。
【００２４】
一時保留部を利用することによって、他方の収納部の収納量を確認することができる。そして、他方の収納部の収納量を確認した上で、一方の収納部から他方の収納部へ、一時保留部を介して有価媒体を移送することにより、他方の収納部の収納量を、正確に確定することができる。
【００２５】
ここで、収納量の少ない収納部は、過収納状態である可能性は低い。収納量の少ない収納部を他方の収納部に設定すると、他方の収納部の全ての有価媒体を一時保留部に収納するときに、一時保留部が最大収納量に達してエラー状態となる可能性が低くなる。
【００２６】
これに対し、収納量の多い収納部は過収納状態である可能性がある。収納量の多い収納部を一方の収納部に設定し、当該一方の収納部から他方の収納部へ有価媒体を移送すれば、一方の収納部の過収納状態が解消される可能性が高まる。
【００２７】
前記制御部は、前記一時保留部から前記他方の収納部へ前記有価媒体を搬送した後に、前記一方の収納部から全ての前記有価媒体を繰り出すと共に、前記一時保留部に一時的に収納しかつ、前記一時保留部から繰り出した前記有価媒体を全て、前記一方の収納部に収納することによって、前記一方の収納部の収納量を確定する、としてもよい。
【００２８】
こうすることで、収納量変更処理によって他方の収納部の収納量を確定した後、一方の収納部の収納量も確定することができる。従って、同じ種類の有価媒体を収納する二つの収納部それぞれの収納量が確定する。
【００２９】
前記制御部は、前記収納量変更処理を実行するときに、前記他方の収納部の収納量が所定量となるように、前記一方の収納部から繰り出した前記有価媒体を、前記他方の収納部に収納する、としてもよい。
【００３０】
「所定量」は任意に設定することができる。例えば収納部の最大収納量を、「所定量」に設定してもよい。こうすることで、収納量変更処理を行うと、第１の収納部及び第２の収納部のいずれか一方の収納部を、最大収納量にすることができる。また、最大収納量を、「所定量」に設定すると、一方の収納部から他方の収納部へ、可能な限り多くの有価媒体を移送することになるから、一方の収納部が過収納状態であっても、それが解消される可能性が高くなる。また、一方の収納部が空になる可能性も高くなる。
【００３１】
前記制御部は、前記第１の収納部及び前記第２の収納部の収納量を確認するための精査処理を実行するときに、前記収納量変更処理を併せて実行する、としてもよい。
【００３２】
前述したように、収納量変更処理に伴い他方の収納部の収納量を確定することができる。また、収納量変更処理の後に、一方の収納量の収納量も確定することもできる。従って、収納量変更処理は、精査処理を実行するときに併せて行うと効率的である。
【００３３】
ここに開示する有価媒体処理方法は、それぞれ特定の種類の有価媒体を収納する第１の収納部及び第２の収納部のいずれか一方の収納部から繰り出した前記有価媒体を、他方の収納部へ搬送しかつ、当該他方の収納部に収納する移送工程と、前記移送工程の後に、前記他方の収納部に収納していた有価媒体と、前記一方の収納部から前記他方の収納部へ搬送した有価媒体とを足し合わせた量が、前記他方の収納部の収納量であると確定する工程と、を備えている。
【００３４】
前記移送工程は、前記一方の収納部から繰り出した前記有価媒体を、一時保留部に一時的に収納すると共に、前記一時保留部から繰り出した前記有価媒体を、前記他方の収納部に収納する、としてもよい。
【００３５】
前記有価媒体処理方法は、前記他方の収納部から全ての有価媒体を繰り出すと共に、前記一時保留部に一時的に収納することによって、前記他方の収納部の収納量を確認する工程を備え、前記移送工程は、前記他方の収納部の有価媒体を一時的に収納している前記一時保留部に、前記一方の収納部から繰り出した前記有価媒体を追加して収納すると共に、前記一時保留部から繰り出した全ての有価媒体を、前記他方の収納部に収納する、としてもよい。
【００３６】
前記有価媒体処理方法は、前記移送工程の後に、前記一方の収納部から全ての有価媒体を繰り出すと共に、前記一時保留部に一時的に収納すると共に、前記一時保留部から繰り出した前記有価媒体を全て、前記一方の収納部に収納することによって、前記一方の収納部の収納量を確定する工程を備えている、としてもよい。
【発明の効果】
【００３７】
以上説明したように、前記の有価媒体処理装置及び有価媒体処理方法によると、同一種類の有価媒体を収納する二つの収納部の間で、有価媒体の移送を行うことができる。
【図面の簡単な説明】
【００３８】
【図１】図１は、新券出金機の内部構成を例示する図である。
【図２】図２は、新券出金機の構成例を示すブロック図である。
【図３】図３は、精査処理に係る制御手順の一部を例示するフローチャートである。
【図４】図４は、精査処理に係る制御手順の一部を例示するフローチャートである。
【図５】図５は、収納量変更処理を伴う精査処理において、収納部から一時保留部への紙幣の搬送を説明する図１対応図である。
【図６】図６は、収納量変更処理を伴う精査処理において、一時保留部から収納部への紙幣の搬送を説明する図１対応図である。
【図７】図７は、収納量変更処理を伴う精査処理において紙幣の移動量の遷移を例示する図である。
【図８】図８は、新券出金機の装填部を引き出した状態を示す斜視説明図である。
【図９】図９は、新券出金機の装填部を引き出したときの係合片の部分を拡大して示す側面図である。
【図１０】図１０は、紙幣処理機の内部構成を例示する図である。
【図１１】図１１は、収納量変更処理を伴う精査処理において、収納部から一時保留部への紙幣の搬送を説明する図１０対応図である。
【図１２】図１２は、収納量変更処理を伴う精査処理において、一時保留部から収納部への紙幣の搬送を説明する図１０対応図である。
【図１３】図１３は、収納量変更処理を伴う精査処理において紙幣の移動量の遷移を例示する図である。
【図１４】図１４は、収納量変更処理を伴う精査処理の変形例において、収納部から収納部への紙幣の搬送を説明する図１０対応図である。
【図１５】図１５は、収納量変更処理を伴う精査処理の変形例において紙幣の移動量の遷移を例示する図１３対応図である。
【発明を実施するための形態】
【００３９】
以下、有価媒体処理装置及び有価媒体処理方法の実施形態を図面に基づいて詳細に説明する。以下の説明は、有価媒体処理装置の一例である。図１は、有価媒体処理装置としての新券出金機１の構成例を示している。新券出金機１は、バラ状態の新券を、金種別に収納すると共に、操作者の操作に応じて、指定された金種の新券を、指定された枚数だけ出金するよう構成されている。新券出金機１は、図示を省略する貨幣処理装置の一部を構成する。貨幣処理装置は、例えば銀行等の金融機関の出納機として設定されている。出納機は、新券出金機１の他に、紙幣処理機や硬貨処理機を含んで構成されている。尚、新券出金機１は、貨幣処理装置に含まれる装置に限定されない。
【００４０】
（新券出金機の構成）
図１は新券出金機１の内部の概略構成を示している。尚、図１では、図面左側の側面が新券出金機１の前面、図面右側の側面が新券出金機１の後面となっている。図２は、新券出金機１の機能構成の概略を示すブロック図である。
【００４１】
新券出金機１は、縦長の箱状の筐体１１を備えている。筐体１１内には、複数の収納部８０と、装填部８１と、出金部８２と、一時保留部８３と、搬送部８４と、判別部８５とが設けられている。さらに、筐体１１内には、図２のみで図示する新券出金機１の各構成要素を制御する制御部８１０、外部の機器との間の通信を行う通信部８６及び様々な情報を記憶する記憶部８７が設けられている。
【００４２】
収納部８０は、この構成例では、第１〜第４の四つの収納部８０を含む。以下の説明において、第１〜第４収納部を区別するときには、第１収納部８０−１、第２収納部８０−２、第３収納部８０−３、及び第４収納部８０−４の符号を付し、これら四つの収納部を区別しないときには、収納部８０の符号を付す。
【００４３】
第１〜第４収納部８０−１〜８０−４は、筐体１１内の前部の下側において、上下方向に並べて配置されている。例えば、第１〜第３収納部８０−１〜８０−３には、それぞれ紙幣が金種毎（例えば、一万円札が第１収納部８０−１に、千円札が第２収納部８０−２に、５千円札が第３収納部８０−３）に収容される。また、第４収納部８０−４は、選択的に使用される収納部である。第４収納部８０−４は、第１〜第３収納部８０−１〜８０−３のうちいずれか１つと同じ金種の紙幣を収納することになる。この構成例では、第４収納部８０−４は、一万円札を収納するとする。以下の説明において、同じ金種の紙幣を収納する収納部８０が複数、存在することを「ダブルカセット設定」という場合がある。この構成例では、一万円札は、ダブルカセット設定である。
【００４４】
第１〜第４収納部８０−１〜８０−４は、互いに同じ構成である。よって、第１〜第４収納部８０−１〜８０−４の最大収納量は、互いに同じである。収納部８０は、図２に示すように、集積機構部８０ａと、繰出機構部８０ｂと、有無検知部８０ｃとを備えている。尚、図２においては、第２〜第４収納部８０−２〜８０−４の集積機構部８０ａ、繰出機構部８０ｂ、及び有無検知部８０ｃの図示を省略している。
【００４５】
集積機構部８０ａは、詳細な構成図は省略するが、紙幣を積層するためのステージと、ステージを昇降するリフト機構と、を有している。ステージは、紙幣の積層量に応じて昇降する。集積機構部８０ａは、ステージ上に積層された紙幣の束の上端位置を検知するセンサを有している。センサは、収納部８０の内部において所定の位置に配設されている。集積機構部８０ａは、センサが紙幣の束の上端位置を検知すると、ステージが所定量だけ下降するよう構成されている。ステージは、収納部８０の収納量が多いほど下方に位置する。収納部８０内において、紙幣の束の上端位置は、その収納量に関わらず、所定の位置で略一定になる。
【００４６】
尚、詳細は後述するが、収納部８０の集積機構部８０ａは、収納部８０に収納している紙幣のおおよその収納量を検知するよう構成されている。具体的には、ステージを一旦、最下位置まで降ろした後、センサがステージ上に積層された紙幣の束の上端位置を検知するまで、ステージを上昇させる。このときのステージの上昇量に基づいて、収納部８０に収納している紙幣の概算の収納量を検知する。
【００４７】
繰出機構部８０ｂは、詳細な構成図は省略するが、集積機構部８０ａに集積された紙幣を、上端から一枚ずつ、出入口を通じて収納部８０の外に繰り出すよう構成されている。      
【００４８】
繰出機構部８０ｂはまた、後述する搬送部８４が搬送する紙幣を一枚ずつ、出入口を通じて収納部８０の中に繰り入れるよう構成されている。
【００４９】
有無検知部８０ｃは、収納部８０内の紙幣の有無を検知する。有無検知部８０ｃは、例えば、光学センサまたはマイクロスイッチによって構成される。
【００５０】
筐体１１の前板において、複数の収納部８０と対応する位置には、開口が形成され、その開口を塞ぐように板状の前カバー１１１が設けられている。複数の収納部８０は、図示しない内部ユニット内に収容されており、内部ユニットの前面に前カバー１１１が固定されている。図示は省略するが、内部ユニットは、前カバー１１１、複数の収納部８０、装填部８１、出金部８２、一時保留部８３、搬送部８４、及び、判別部８５を含めて、一体的に前後方向にスライド移動が可能に構成されている。操作者は、内部ユニットを筐体１１の外側に引き出して、収納部８０に直接、手で、紙幣の装填（つまり、手装填）ができるようになっている。
【００５１】
装填部８１は、収納部８０に紙幣を装填する（つまり、計数装填）ときに利用する。装填部８１は、操作者によって手で装填された紙幣を繰り出すよう構成され、装填部８１から繰り出された紙幣は、搬送部８４によって搬送され、一時保留部８３に保留された後、各収納部８０に収納される。
【００５２】
装填部８１は、第１収納部８０−１の上側に配設されている。第１収納部８０−１の上側は、矩形箱状の収容空間１１３に区画されており、その前側には開口が形成されている。開口を塞ぐように板状の前カバー１１２が設けられており、図示しないが前カバー１１２と装填部８１とは一体的に連結されている。図１に二点鎖線で示すように、装填部８１は、この収容空間１１３内に前後方向へのスライド移動が可能に収容されている。操作者が前カバー１１２を、筐体１１から前方へと引き出すと、装填部８１が筐体１１の外に引き出される。装填部８１と、収納部８０とは、互いに独立して、筐体１１から前方に引き出すことが可能である。装填部８１を筐体１１の外に引き出した状態で、操作者は、装填部８１に紙幣を、手で装填することができる。
【００５３】
装填部８１は、集積機構部８１ａと、繰出機構部８１ｂと、有無検知部８１ｃと、開閉検知部８１ｄと、長さ調整部８１ｅとを備えている。装填部８１の集積機構部８１ａ、繰出機構部８１ｂ、及び、有無検知部８１ｃは、前述した収納部８０の集積機構部８０ａ、繰出機構部８０ｂ、及び、有無検知部８０ｃと、ほぼ同じ構成である。そこで、装填部８１の集積機構部８１ａ、繰出機構部８１ｂ、及び、有無検知部８１ｃの詳細な説明は、前記の説明を流用し、ここでは詳細な説明を省略する。
【００５４】
開閉検知部８１ｄは、装填部８１が筐体１１から引き出されたか否かを検知するよう構成されている。開閉検知部８１ｄは、例えば、光学センサまたはマイクロスイッチによって構成される。
【００５５】
長さ調整部８１ｅは、装填部８１に装填される紙幣の長さに応じて、装填部８１の内部の大きさを変更するよう構成されている。後述するように、操作者が、これから装填をする紙幣の金種を指定することに応じて、長さ調整部８１ｅは、装填部８１の内部の大きさを装填する紙幣の長さに対応した大きさにする。
【００５６】
出金部８２は、筐体１１内の前方上側の隅角部に設けられており、搬送部８４によって搬送された出金対象の紙幣を集積するよう構成されている。出金部８２は、筐体１１の上端部における前板に矩形状に貫通形成された出金口８２ｂを有し、出金部８２に集積された紙幣は、出金口８２ｂを通じて、筐体１１の外に払い出される。
【００５７】
出金部８２は、集積機構部８２ａと、有無検知部８２ｃとを備えている。集積機構部８２ａは、後側に設けられた入口を通じて送り込まれた紙幣を集積すると共に、集積している紙幣を出金口８２ｂを通じて出金するよう構成されている。また、有無検知部８２ｃは、出金部８２内の紙幣の有無を検知する。有無検知部８２ｃは、例えば、光学センサまたはマイクロスイッチによって構成される。
【００５８】
一時保留部８３は、筐体１１内において、後方上側に配置されている。一時保留部８３は、いわゆるテープリール式であり、紙幣をドラム８３ｃに巻き取る巻取り機構８３ａと、媒体検知部８３ｂとを備えている。巻取り機構８３ａは、例えば二つのテープの間に紙幣を挟んだ状態で、テープをドラム８３ｃに巻き取ることにより紙幣を収納するよう構成されている。巻取り機構８３ａはまた、ドラム８３ｃが逆方向に回転することによって、ドラム８３ｃに巻き取られていた紙幣を、一時保留部８３から外に繰り出すよう構成されている。尚、巻取り機構８３ａの構成は、特定の構成に限定されない。
【００５９】
媒体検知部８３ｂは、一時保留部８３内における紙幣の有無を検知する。媒体検知部８３ｂは、例えば、光学センサまたはマイクロスイッチによって構成される。
【００６０】
尚、一時保留部８３の最大収納量は、第１〜第４収納部８０−１〜８０−４の最大収納量（約３５０枚）と同じである。
【００６１】
搬送部８４は、第１〜第４搬送路８４１〜８４４を備え、これら第１〜第４搬送路８４１〜８４４は、第１〜第４収納部８０、装填部８１、出金部８２、及び一時保留部８３を相互に接続している。第１搬送路８４１は、出金部８２に接続されている。第２搬送路８４２は、各収納部８０に分岐して接続されている。第３搬送路８４３は、装填部８１に接続されている。第４搬送路８４４は、一時保留部８３に接続されている。これらの搬送路には、それぞれにローラ及び無端状のベルトが設けられており、双方向への紙幣の搬送が可能になっている。
【００６２】
第１搬送路８４１と第２搬送路８４２と第３搬送路８４３とは互いに接続されている。第４搬送路８４４は、第１搬送路８４１の途中に接続されている。搬送路が接続する箇所には紙幣の搬送方向を変更する分岐機構８４５、８４６、８４７が設けられている。
【００６３】
図１に示すように、第３搬送路８４３は、前カバー１１２と共に装填部８１を筐体１１から引き出したときに、第１搬送路８４１及び第２搬送路８４２のそれぞれから切り離され、装填部８１と共に、筐体１１の外側に引き出される。このときに、第１搬送路８４１、第２搬送路８４２及び第３搬送路８４３の接続箇所に配設されている分岐機構８４５は、第３搬送路８４３と共に、筐体１１から引き出される。これによって、第１搬送路８４１の前端部及び第２搬送路８４２の上端部はそれぞれ、筐体１１の外に露出する。
【００６４】
判別部８５は、第１搬送路８４１において、分岐機構８４５と分岐機構８４７との間に配設されている。判別部８５は、通過する紙幣の金種を判別すると共に、計数を行う。
【００６５】
制御部８１０は、新券出金機１の各構成要素の制御を行う。制御部８１０には、第１〜第４の収納部８０−１〜８０−４、装填部８１、出金部８２、一時保留部８３、搬送部８４、判別部８５、通信部８６、記憶部８７、及び操作表示部８８がそれぞれ接続されている。制御部８１０は、これらの各構成要素からの信号を受けると共に、各構成要素に信号を送ることによりその動作を制御する。制御部８１０はまた、新券出金機１において精査処理を行うための機能ブロックである、精査制御部８１１を有している。
【００６６】
記憶部８７は、新券出金機１における処理履歴や、新券出金機１に収納されている紙幣の在高等の情報を記憶する。
【００６７】
また、制御部８１０は、通信部８６を介して外部の機器に対して様々な信号の送受信を行うことができる。
【００６８】
操作表示部８８は、操作者に対するヒューマンインターフェース部分を構成する。操作表示部８８は、例えばタッチパネル等によって構成される。操作表示部８８は、新券出金機１に関する様々な情報を表示する。また、操作者はこの操作表示部８８を介して、様々な操作を行うことができる。
【００６９】
（紙幣の装填から出金までの流れ（計数装填））
次に、各収納部８０に紙幣を装填する処理について説明する。まず、操作者は、操作表示部８８を操作して収納部８０への「手装填」をするのか、装填部８１に装填した紙幣を、収納部８０に搬送し装填を行う「計数装填」をするのかを選択する。
【００７０】
操作者が「計数装填」を選択した場合、制御部８１０は、操作表示部８８を介して操作者に金種の入力を促す。その際に、制御部８１０が、金種毎の装填可能枚数を操作表示部８８に表示するようにしてもよい。
【００７１】
操作者による金種の確定操作がされた後、制御部８１０は、例えば、操作表示部８８に装填部８１への紙幣の装填に関する案内画面を表示する。装填部８１の長さ調整部８１ｅは、指定された金種に応じて、装填部８１の内部の大きさを調整する。制御部８１０はまた、装填部８１及び前カバー１１２をロックするロック機構（図示省略）を解除する。これにより、操作者は、装填部８１を、筐体１１から前方に引き出すことができる。
【００７２】
操作者が、引き出した装填部８１に、選択した金種の紙幣を装填し終わった後に、装填部８１を後側に押して装着位置まで移動させると、その状態が開閉検知部８１ｄ及び有無検知部８１ｃによって検知される。
【００７３】
制御部８１０は、開閉検知部８１ｄ及び有無検知部８１ｃの検知結果に基づいて装填部８１の繰出機構部８１ｂを駆動し、装填部８１からの紙幣の繰出しを開始する。装填部８１から繰出された紙幣は、搬送部８４によって、第３搬送路８４３から第１搬送路８４１及び第４搬送路８４４を介して一時保留部８３に搬送され、一時保留部８３に一時的に収納される。このときに紙幣は、判別部８５を一枚ずつ通過するため、制御部８１０は、判別部８５から通過する紙幣の判別情報及び計数情報を取得する。尚、制御部８１０は、紙幣にリジェクト紙幣（例えば、搬送不良紙幣や金種の異なる紙幣等）が含まれていた場合には、当該リジェクト紙幣を、一時保留部８３に送らずに出金部８２に送り、出金口８２ｂから操作者に返却するようにしてもよい。
【００７４】
装填部８１から一時保留部８３への紙幣の搬送が完了し、有無検知部８１ｃが装填部８１内に紙幣がないことを検知すると、制御部８１０は、操作表示部８８に確認画面を表示させる。例えば、一時保留部８３に一時保留されている紙幣の金種及び枚数と、収容先の収納部８０の空き状況を操作表示部８８に表示させ、収納部８０への収納処理を実施してよいか、操作者に確認する。
【００７５】
制御部８１０は、操作表示部８８への確認操作がされた後、一時保留部８３を制御して、一時保留されている紙幣の収納部８０への収納を開始する。一時保留部８３から送り出された紙幣は、搬送部８４によって、第４搬送路８４４から第１搬送路８４１及び第２搬送路８４２を介して対応する収納部８０に送り込まれ、収納される。計数装填の終了後、新券出金機１は待機状態になる。
【００７６】
（手装填）
操作者が「手装填」を選択した場合、制御部８１０は、前カバー１１１のロックを解除する。操作者は、内部ユニットを前カバー１１１ごと引出位置まで引き出し、装填対象の金種に応じた収納部８０に手で紙幣を装填する。操作者が収納部８０に紙幣を装填した後に、前カバー１１１を押して内部ユニットを装填位置まで押し込むと、制御部８１０は前カバー１１１のロック機構を作動させ、前カバー１１１がロックされる。これにより、装填作業は完了し、新券出金機１は待機状態となる。
【００７７】
（出金処理）
続いて、操作者が出金操作を行った場合における、新券出金機１の出金処理について説明する。操作者からの出金操作（出金すべき紙幣の金種および枚数情報を含む）を受けると、制御部８１０は、出金対象となる金種が収容された収納部８０の繰出機構部８０ｂを制御して、出金処理を開始する。具体的には、収納部８０の繰出機構部８０ｂに必要枚数の紙幣を繰り出させる。収納部８０から繰り出された紙幣は、搬送部８４によって、第２搬送路８４２から第１搬送路８４１を介して出金部８２に送り込まれ、出金口８２ｂから払い出される。なお、出金処理において、判別部８５によりリジェクト紙幣と判断された紙幣は、一時保留部８３に収納され、出金処理終了後に、元の収納部８０に戻されるようにしてもよい。
【００７８】
（新券出金機における収納量変更処理）
前述の計数装填が行われるときには、判別部８５が紙幣の計数を行うため、収納部８０に、予め設定されている最大収納量（例えば３５０枚）を超えて紙幣が収納されることは起こらないが、手装填を行う場合は、最大収納量を超えて、収納部８０に紙幣が収納されてしまう場合がある（つまり、収納部８０の過収納状態）。尚、この最大収納量は、新券出金機１の制御上、定められている最大収納量であり、収納部８０は、実際は、この最大収納量よりも多い紙幣を収納することが可能に構成されている。（例えば４００枚）。しかしながら、収納部８０が過収納状態であると、紙幣の繰り出しが不良になることが起こりやすいという不都合がある。
【００７９】
また、収納部８０が過収納状態であると、精査処理（つまり、収納部８０の収納量を確定するための処理）のときに、収納部８０から繰り出した紙幣を一時保留部８３に収納している最中に、一時保留部８３がフルになってしまう（つまり、最大収納量に達してしまう）。この場合、新券出金機１はエラーとなって停止してしまうという問題もある。
【００８０】
尚、収納部８０の過収納状態は、手装填のみによって生じるのではない。新券出金機１では、エラー解除のために、搬送路等から取り除いた紙幣を、操作者が収納部８０に手で収納し直す場合があるが、このときに、当該紙幣の金種がダブルカセット設定であると（前記の構成例においては、共に一万円札を収納する第１収納部８０−１及び第４収納部８０−４）、元の収納部８０ではなく、別の収納部８０に誤って紙幣を戻してしまう場合がある。この場合も、収納部８０は過収納状態になってしまう恐れがある。
【００８１】
この新券出金機１は、複数の収納部８０の間で紙幣を移送する収納量変更処理を行うことによって、収納部８０の過収納状態を解消することが可能に構成されている。この収納量変更処理は、収納部８０の精査処理を実行するときに行われる。
【００８２】
次に、図３及び図４に示すフローチャートを参照しながら、収納量変更処理を伴う精査処理について説明をする。先ず、スタート後のステップＳ１において、制御部８１０は、精査処理を実行するか否かを判定する。操作者が精査処理の実行を指定したとき等に、ステップＳ１の判定がＹＥＳになる。ステップＳ１の判定がＮＯであれば、ステップＳ１が繰り返される。ステップＳ１の判定がＹＥＳであれば、ステップＳ２に進む。
【００８３】
ステップＳ２において、制御部８１０は、精査処理の対象の金種を特定する。続くステップＳ３において、制御部８１０は、精査処理の対象の金種がダブルカセット設定であるか否かを判定する。前述した新券出金機１においては、第４収納部８０−４が収納する紙幣の金種はダブルカセット設定となり、この構成例では、一万円札がダブルカセット設定である。ステップＳ３の判定がＹＥＳであれば、ステップＳ４に進む。一方、ステップＳ３の判定がＮＯであれば、ステップＳ８に進む。
【００８４】
ステップＳ８において、制御部８１０は、通常の精査処理を実行する。具体的に制御部８１０は、精査処理の対象の金種の紙幣を収納する収納部８０から紙幣を全て繰り出すと共に、判別部８５において判別及び計数をした後に、一時保留部８３に収納する。そして、全ての紙幣が一時保留部８３に収納されれば、一時保留部８３から紙幣を再び繰り出すと共に、紙幣を全て、元の収納部８０へ搬送しかつ、当該収納部８０に収納する。
【００８５】
ステップＳ４において、制御部８１０は、精査処理の対象の金種の紙幣を収納している二つの収納部８０の収納量を比較する。ステップＳ４における収納量の比較は、概算の収納量の比較である。制御部８１０は、二つの収納部８０のそれぞれについて、ステージを一旦、最下位置まで降ろした後、センサがステージ上に積層された紙幣の束の上端位置を検知するまで、ステージを上昇させる。このときのステージの上昇量に基づいて、制御部８１０は、収納部８０の概算の収納量を把握する。つまり、収納量が少ないと、ステージの上昇量が多くなり、収納量が多いと、ステージの上昇量が少なくなる。ここで、ステージの上昇を開始してからセンサが検知するまでの時間を計測することによって、ステージの上昇量を計測してもよい。また、時間の計測に代えて、ステージを上昇させるモータの駆動量を計測することによって、ステージの上昇量を計測してもよい。さらに、ステージの上昇量そのものを計測してもよい。
【００８６】
ステップＳ５において、制御部８１０は、二つの収納部８０の内、収納量が少ない方の収納部８０を収納部（Ａ）として、当該収納部（Ａ）から全ての紙幣を繰り出すと共に、繰り出した紙幣を一時保留部８３に収納する。このときに、判別部８５は、紙幣の判別及び計数を行う。これにより、収納部（Ａ）が収納していた紙幣の収納量を確認することができる。
【００８７】
続くステップＳ６において、制御部８１０は、二つの収納部８０の内、収納量が多い方の収納部８０を収納部（Ｂ）として、当該収納部（Ｂ）から繰り出した紙幣を、一時保留部８３に収納する。このときに、制御部８１０は、一時保留部８３に収納している紙幣の収納量（言い換えると、収納部（Ａ）の収納量）と判別部８５の判別結果及び計数結果とに基づいて、一時保留部８３がフルになるか、又は、収納部（Ｂ）が空になるまで、紙幣を一時保留部８３に収納する。
【００８８】
ステップＳ７において、制御部８１０は、一時保留部８３に収納している紙幣を全て、収納部（Ａ）へ搬送すると共に、収納部（Ａ）内に収納する。これにより、収納部（Ｂ）に収納されていた紙幣が、一時保留部８３を介して収納部（Ａ）へ搬送され、収納部（Ａ）に収納されることになる。尚、ステップＳ６において一時保留部８３がフルであれば、ステップＳ７において、収納部（Ａ）がフルになる。ステップＳ５〜ステップＳ７を行うと、二つの収納部８０の内、収納部（Ａ）がフルになる、又は、収納部（Ｂ）が空になる。ステップＳ７が完了すれば、収納部（Ａ）の収納量が確定するから、紙幣の移送と共に、収納部（Ａ）の精査処理が完了したことになる。
【００８９】
ステップＳ７に続くステップＳ９において、制御部８１０は、収納部（Ｂ）に紙幣が残っているか否かを判定する。ＹＥＳのときには、ステップＳ１０に進む。一方、ＮＯのときには、ステップＳ１２に進む。
【００９０】
ステップＳ１０において、制御部８１０は、収納部（Ｂ）から紙幣を全て繰り出して、一時保留部８３へ搬送しかつ、一時保留部８３に収納する。このときに、判別部８５が紙幣の判別及び計数を行うことによって、収納部（Ｂ）が収納していた紙幣の収納量を確認することができる。
【００９１】
ステップＳ１１において、収納部８０は、一時保留部８３に収納している紙幣を全て、元の収納部（Ｂ）へ搬送し、収納部（Ｂ）に収納する。ステップＳ１０及びステップＳ１１を行うことによって、収納部（Ｂ）の精査処理が完了したことになる。
【００９２】
ステップＳ１２において、制御部８１０は、ステップＳ７における収納部（Ａ）の精査結果と、ステップＳ１１における収納部（Ｂ）の精査結果とに基づいて、当該金種の紙幣の合計枚数が、精査処理を実行する前に記憶されている在高と一致しているか否かを判定する。一致しているときにはステップＳ１３に進み、制御部８１０は、収納部（Ａ）及び収納部（Ｂ）の収納枚数をそれぞれ、記憶部８７に記憶させる。これにより、当該金種の紙幣の在高が確定する。
【００９３】
一方、ステップＳ１２において、精査対象の金種の紙幣の合計枚数が、精査処理を実行する前に記憶されている在高と一致していないときにはステップＳ１４に進み、制御部は、今回の精査結果（つまり、不一致結果）を、記憶部８７に記憶させ、当該金種の紙幣の在高を確定する。
【００９４】
ステップＳ１５において、制御部８１０は、精査すべき他の金種があるか否かを判断し、他の金種の精査が必要であるときには、ステップＳ２に戻る。一方、他の金種の精査が必要でないときには、ステップＳ１６に進み、精査処理の結果を、操作者に報知し、フローが終了する。
【００９５】
次に、前述したフローに従い精査処理を実行したときの、紙幣の枚数の変化の遷移の一例を、図５〜７を参照しながら説明する。この例は、第１収納部８０−１及び第４収納部８０−４の内、第４収納部８０−４が過収納状態であったところ、精査処理と共に、収納量変更処理を実行することによって、第４収納部８０−４の過収納状態が解消されることを示す例である。図５及び図６は、収納量変更処理を伴う精査処理時における紙幣の搬送状態を説明する図である。また、図７は、収納量変更処理を伴う精査処理時において、収納部（Ａ）としての第１収納部８０−１、及び収納部（Ｂ）としての第４収納部８０−４、並びに、一時保留部８３の紙幣の収納量の変化を示す図である。
【００９６】
先ず、初期状態では、前述の通り、収納部（Ｂ）の収納量は４００枚であり、最大収納量である３５０枚を超えている（過収納状態）。これに対し収納部（Ａ）の収納量は１８０枚である。
【００９７】
精査処理を実行するに際し、第１収納部８０−１、及び第４収納部８０−４の収納量が比較される（図３のフローのステップＳ４参照）。その結果、図５に実線の矢印で示すように、収納量が少ない第１収納部８０−１（収納部（Ａ））の紙幣が全て、一時保留部８３へ搬送され、一時保留部８３に収納される。この例では１８０枚の紙幣が移動し、収納部（Ａ）の収納量がゼロになると共に、一時保留部８３の収納量が１８０枚になる。
【００９８】
ここで、収納量が多い方の第４収納部８０−４（収納部（Ｂ））の紙幣を先に、一時保留部８３に収納しようとすると、収納部（Ｂ）は最大収納量を超えているため、一時保留部８３はフルになってしまう。この場合は、エラーとなって新券出金機１を停止しなければならない。これに対し、収納量が少ない方の収納部（Ａ）の紙幣を先に、一時保留部８３に収納することによって、一時保留部８３はフルになってしまうことが抑制され、エラーにより新券出金機１が停止してしまうことを、可能な限り回避することができる。
【００９９】
次に、収納部（Ｂ）から繰り出した紙幣を一時保留部８３に収納する（図３のステップＳ６、図５の一点鎖線の矢印参照）。前述したように、一時保留部８３がフルになるか、収納部（Ｂ）が空になるまで、収納部（Ｂ）から一時保留部８３へ紙幣が搬送される。図７の例では、一時保留部８３がフルになるまで収納部（Ｂ）から一時保留部８３へ紙幣が搬送される結果、１７０枚の紙幣が、収納部（Ｂ）から一時保留部８３へ搬送され、一時保留部８３はフル（つまり、３５０枚）に達するとともに、収納部（Ｂ）の収納量は１３０（＝４００―１７０）枚になる。このときに、収納部（Ｂ）の過収納状態が解消される。
【０１００】
次に、一時保留部８３から全ての紙幣を繰り出すと共に、繰り出した全ての紙幣を、収納部（Ａ）に搬送しかつ、収納部（Ａ）に収納する（図３のステップＳ７、図６の実線の矢印参照）。従って、３５０枚の紙幣が、収納部（Ａ）に収納される。一時保留部８３と収納部（Ａ）及び収納部（Ｂ）との最大収納量は、３５０枚で同じであるため、収納部（Ａ）の収納量が最大収納量を超えることはない。収納部（Ａ）の収納量は３５０枚で確定する。一時保留部８３の収納量はゼロになる。
【０１０１】
収納部（Ｂ）に紙幣が残っているため、収納部（Ｂ）から繰り出した全ての紙幣が、一時保留部８３に収納される（図４のステップＳ１０、図５の一点鎖線の矢印参照）。収納部（Ｂ）は過収納状態が解消されているため、一時保留部８３がフルになって新券出金機１が停止してしまうことはない。図７の例では、１３０枚の紙幣が一時保留部８３に収納され、一時保留部８３の収納量が１３０枚になる一方、収納部（Ｂ）の収納量がゼロになる。
【０１０２】
そして、一時保留部８３から全ての紙幣が繰り出されて収納部（Ｂ）に収納される（図４のステップＳ１１、図６の一点鎖線の矢印参照）。図７の例では、１３０枚の紙幣が収納部（Ｂ）に収納される結果、収納部（Ｂ）の収納量が確定する。
【０１０３】
こうして、同じ金種の紙幣を収納する二つの収納部８０の間で紙幣を移送することにより、一方の収納部８０の過収納状態を解消しながら、二つの収納部８０それぞれの収納量を確定することができる。
【０１０４】
尚、二つの収納部の間で紙幣の移送を行う収納量変更処理は、精査処理と共に行うことに限らない。収納量変更処理は、単独で行ってもよい。例えば、収納部８０の集積機構部８０ａが、前述したステージの昇降動作により概算の収納量を検出したときに、過収納状態であると判断すれば、当該収納部８０の過収納状態を解消すべく、収納量変更処理を行ってもよい。
【０１０５】
また、収納量変更処理は、収納部８０の過収納状態を解消することを目的に行うことに限らない。収納部８０が過収納状態でなくても、二つの収納部８０の間で収納量を調整するために、収納量変更処理を行ってもよい。
【０１０６】
収納量変更処理は、二つの収納部８０の内の一方の収納部８０がフルになるよう、紙幣を移送してもよい。また、収納量変更処理は、いずれか一方の収納部８０の収納量を操作者が指定し、指定した収納量となるように、他方の収納部８０から一方の収納部８０へ紙幣を移送してもよい。また、収納量変更処理は、二つの収納部８０の内の他方の収納部８０を空にする目的で、他方の収納部８０から一方の収納部８０へ紙幣を移送してもよい。収納部８０が空になると、当該空の収納部８０に紙幣を装填しやすくなる。
【０１０７】
ここで、集積機構部８０ａのステージの昇降による収納量の確認は、ステージ上に集積されている紙幣が新券であるときには、収納量の判定精度が比較的高くなるから、概算収納量の確認には有利である。しかしながら、おおよその収納量であるため、図３のフローのステップＳ４において、二つの収納部８０の概算の収納量を比較したときに、収納量の大小を逆に判定してしまうことも起こり得る。収納量の大小を逆に判定してしまうと、その後のステップＳ５において、収納部（Ａ）の紙幣を一時保留部８３に収納している最中に、一時保留部８３がフルになってしまうことが起こり得る。この場合は、一時保留部８３の紙幣を収納部（Ａ）に戻し、収納部（Ａ）及び収納部（Ｂ）を入れ替えた上で、ステップＳ５を改めて行えばよい。
【０１０８】
また、図３のフローのステップＳ４において二つの収納部８０の概算の収納量を比較したときに、二つの収納部８０が共に最大収納量を超えている、又は、収納量の合計が二つの収納部８０の最大収納量の和を超えていることがわかったときには、ステップＳ５、又は、ステップＳ１０において一時保留部８３がフルになり、エラーとなって新券出金機１が停止してしまうことになるため、制御部８１０は、ステップＳ４の後、紙幣の搬送を行う前に、エラーを操作者に報知してもよい。この場合、制御部８１０は、当該収納部８０に収納している紙幣の少なくとも一部を、新券出金機１の外に払い出す機外回収処理に実行を、操作者に促すようにしてもよい。
【０１０９】
尚、一つの収納部８０にのみ収納されている金種の精査処理を行うときに、前述したように、収納部８０のステージの昇降によって概算の収納量を把握してもよい。そのときに、当該収納部８０が過収納状態であることがわかったときには、前記と同様に、操作者にエラー報知を行うと共に、当該収納部８０に収納している紙幣の少なくとも一部を、新券出金機１の外に払い出す機外回収を行うよう、操作者に促すようにしてもよい。
【０１１０】
（装填部の引き出し構成）
前述したように、装填部８１は、新券出金機１の前方に向かって筐体１１から引き出すことが可能に構成されている。装填部８１は、装填部８１に紙幣を装填するときに引き出される他にも、搬送路の途中で紙幣の詰まりが生じたときに、ジャム紙幣の取り出しのために引き出される。
【０１１１】
ここで、図１に二点鎖線で示すように、装填部８１を筐体１１から引き出したときに、第３搬送路８４３及び分岐機構８４５が装填部８１と共に、筐体１１から引き出されるため、第１搬送路８４１の前端及び第２搬送路８４２の上端がそれぞれ、筐体１１の外に開放される（図９も参照）。そのため、ジャム紙幣の取り出し操作を行っているときに、第１搬送路８４１又は第２搬送路８４２に沿って移動する紙幣が、開放された第１搬送路８４１の前端又は第２搬送路８４２の上端から出てきて、床に落下してしまう場合がある。また、第１搬送路８４１の前端又は第２搬送路８４２の上端から出てきた紙幣を、操作者が取り除かずに、装填部８１を筐体１１内に押し込むことで、紙幣が筐体１１内における装填部８１の後方に入り込んでしまう恐れもある。これらが起きると違算を招くことになる。
【０１１２】
この新券出金機１は、装填部８１を筐体１１から引き出したときに、紙幣が、開放された搬送路の端から落下することを防止する構成を有している。具体的には図８及び図９に示すように、装填部８１を引き出したときに、係合片８９１が、第１搬送路８４１の前端及び第２搬送路８４２の上端の付近に位置するよう構成されている。
【０１１３】
係合片８９１は、スライダ８９２に取り付けられている。スライダ８９２は、装填部８１の収容空間１１３を区画する区画壁１１４と、装填部８１の底面との間に配設されかつ、装填部８１の引き出し及び押し込みに伴い、前後方向にスライド移動をするよう構成されている。具体的にスライダ８９２は、図示を省略する付勢部材（例えば、ばね）によって、新券出金機１の前方に向かう方向に付勢されている。スライダ８９２は、その前端に、当接部８９３を有している。当接部８９３は、装填部８１の後端に当たる。装填部８１が筐体１１内に押し込まれた装填位置にあるときには、スライダ８９２の当接部が、装填部８１の後端に当たることによって、スライダ８９２は、前方に移動することが阻止され、装填部８１と区画壁１１４との間に位置する。装填部８１を筐体１１から前方に引き出すと、付勢部材の付勢力によってスライダ８９２は、装填部８１と共に、新券出金機１の前方に移動をする。スライダ８９２は、区画壁１１４の前端よりも前方に突出した所定の突出位置で止まり、このときに、図８に示すように、装填部８１とスライダ８９２の当接部８９３とは離れる。
【０１１４】
係合片８９１は、スライダ８９２の前端部における下面に取り付けられている。係合片８９１は、先端部が鉤状に折れ曲がった形状を有している。係合片８９１の幅（つまり、図８における紙幣手前から奥に向かう横方向の長さ）は比較的短く構成されており、詳細な図示は省略するが、係合片８９１の幅は、第１搬送路８４１や第２搬送路８４２の幅よりも狭くなっている。
【０１１５】
係合片８９１は、後端部が水平軸回りに回動するように、スライダ８９２に取り付けられている。スライダ８９２が、所定の突出位置に位置すると、係合片８９１は、自重によって下方に、約６０度、回転し、スライダ８９２の下面から垂れ下がる。このときに、係合片８９１の鉤状の前端部は、図９に示すように、第１搬送路８４１の前端及び第２搬送路８４２の上端の前側に位置する。ジャム紙幣を取り除く操作に伴い、第１搬送路８４１又は第２搬送路８４２に沿って移動する紙幣が、第１搬送路８４１の前端、又は、第２搬送路８４２の上端から出てくると、実線の矢印で示すように、紙幣は係合片８９１の前端部に引っかかるようになり、紙幣が落下してしまうことが防止される。係合片８９１は、二点鎖線の矢印で示すように、自由に回動するため、紙幣が係合片８９１と係合したときに、紙幣が折れ曲がったり、傷ついたりすることが防止される。
【０１１６】
また、係合片８９１の幅は、搬送路の幅よりも狭いため、搬送路の端から出てきた紙幣を、操作者が手で取り除くときに、紙幣と係合片８９１とが干渉してしまうことが防止され、操作者は、紙幣を取り出しやすい。
【０１１７】
操作者が装填部８１を筐体１１に押し込むと、後退する装填部８１とスライダ８９２の当接部８９３とが当たって、スライダ８９２は、装填部８１に押されて後方に移動をする。装填部８１が収容空間１１３に収納されると、スライダ８９２は、装填部８１と区画壁１１４との間に収納される。尚、係合片８９１は、区画壁１１４の前端に当たることによって自動的に回転し、図９において二点鎖線で示すように、スライダ８９２の下面に沿った状態となる。この状態で係合片８９１は、スライダ８９２と共に、装填部８１と区画壁１１４との間に収納される。
【０１１８】
また、第１搬送路８４１の前端、又は、第２搬送路８４２の上端から出てきた紙幣が操作者によって取り除かれずに、装填部８１が筐体１１に押し込まれたときに、当該紙幣は、係合片８９１に係合しているため、第１搬送路８４１、第２搬送路８４２及び第３搬送路８４３の接続箇所の付近に位置するようになる。従って、装填部８１の後方に紙幣が入り込んでしまうことが防止される。また、装填部８１を筐体１１に押し込んだ後、紙幣が、第１搬送路８４１、第２搬送路８４２及び第３搬送路８４３の接続箇所の付近に位置していると、装填部８１を装填位置に戻した後のリセット動作時（つまり、分岐機構８４５の動作確認時）に、紙幣の残留を検知することができる。この場合、紙幣の残留が、操作者に報知されるから、操作者は、再び装填部８１を筐体１１から引き出すことによって、残留紙幣を確実に取り除くことができる。
【０１１９】
（新券出金機の他の構成例）
新券出金機１の装填部８１は、前述したように、収納部８０に紙幣を装填するために用いる他にも、収納部として利用するようにしてもよい。こうすることにより、新券出金機１を大型化することなく、その収納量を増やすことが可能になる。
【０１２０】
装填部８１を収納部として利用する場合、装填部８１への紙幣の装填は、操作者が装填部８１に手で行えばよい。装填部８１に手装填をした紙幣の収納量を確認するときには、装填部８１と一時保留部８３との間で、紙幣を往復しながら、判別部８５が紙幣の判別及び計数を行えばよい。
【０１２１】
装填部８１に収納する紙幣の金種は、第１〜第４収納部８０−１〜８０−４に収納しているいずれかの金種であることが望ましい。装填部８１を収納部として利用する構成は、出金頻度の高い金種の紙幣の収納量を増やすことに有効である。
【０１２２】
装填部８１は、第１〜第４収納部８０−１〜８０−４よりも優先して紙幣を出金することが好ましい。こうすることで、装填部８１は空になりやすくなる。装填部８１が空になれば、前述の通り、装填部８１を用いた計数装填を行うことが可能になり、装填部８１を本来の機能で使用することができる。
【０１２３】
また、新券出金機１が待機状態にあるときに、装填部８１内の紙幣を、同一金種の紙幣を収納する他の収納部８０へ移送するようにしてもよい。こうすることで、装填部８１が空になりやすくなる。
【０１２４】
尚、装填部８１が紙幣を収納している状態で、当該装填部８１を利用して収納部８０に紙幣を装填する計数装填を行うときには、装填部８１内の紙幣を、一時保留部８３に搬送して、一旦そこに収納し、空にした装填部８１に、操作者が紙幣を手で装填して、計数装填を行うようにしてもよい。計数装填時には、一時保留部８３に、紙幣が収納している状態で、新たに、計数装填用の紙幣が収納されるが、一時保留部８３はテープリール式の収納部であるため、収納した紙幣の入れ替わりは生じない。このため、一時的に収納している紙幣と、計数装填用の紙幣とを区別することが可能である。そうして、前述した手順に従って計数装填が終了した後、一時保留部８３に収納していた紙幣を、装填部８１に戻せばよい。
【０１２５】
（紙幣処理機の構成）
図１０は、ここに開示する有価媒体処理装置の別の構成例として、紙幣処理機１０を示している。紙幣処理機１０は、例えば前述した出納機（貨幣処理装置）の一部を構成する。紙幣処理機１０は、バラ紙幣の入出金処理を実行可能である。また、紙幣処理機１０は、帯封紙幣（紙幣束ともいう）の作成や、帯封紙幣の出金処理を実行可能である。帯封紙幣は、所定枚数（例えば１００枚）のバラ紙幣から作成される。
【０１２６】
紙幣処理機１０は、バラ紙幣を入金するための投入部１４、バラ紙幣を出金するためのバラ紙幣投出部２４、及び、帯封紙幣を出金するための帯封紙幣投出部４８をそれぞれ有している。詳細な図示は省略するが、投入部１４は筐体１２の外部に開口しており、操作者は投入部１４の内部にバラ紙幣の束を投入することができる。一方、バラ紙幣投出部２４及び帯封紙幣投出部４８にはそれぞれシャッター２４ａ，４８ａが設けられている。シャッター２４ａ，４８ａが開いてバラ紙幣投出部２４や帯封紙幣投出部４８が開口すると、操作者はバラ紙幣投出部２４に集積されているバラ紙幣や帯封紙幣投出部４８に集積されている帯封紙幣を取り出すことができる。なお、バラ紙幣投出部２４は、バラ紙幣の出金処理における出金部として機能するとともに、入金処理時において識別できなかったバラ紙幣や正常ではないと識別されたバラ紙幣を排出するための入金リジェクト部としても機能する。
【０１２７】
また、バラ紙幣投出部２４の下方には、バラ紙幣の出金処理において、バラ紙幣投出部２４から出金すべきではないと判断されたバラ紙幣が集積される出金リジェクト部２６が設けられている。
【０１２８】
投入部１４には、投入されたバラ紙幣を一枚ずつ繰り出すための繰出部１６が設けられている。繰出部１６により投入部１４から繰り出されたバラ紙幣は、搬送部１８により筐体１２内で搬送される。搬送部１８には識別部２０が設けられており、搬送部１８により搬送されるバラ紙幣は識別部２０によりその金種、真偽、表裏、正損、新旧、搬送状態等が識別される。また、搬送部１８には表裏反転部２２が設けられており、識別部２０により識別されたバラ紙幣は表裏反転部２２によりその表裏が揃うように反転させられる。
【０１２９】
搬送部１８には、入金一時保留部３０、一括バラ紙幣収納部３２及び複数（図１０では第１〜第３の三つ）の金種別バラ紙幣収納部３４−１〜３４−３がそれぞれ接続されている。入金一時保留部３０、一括バラ紙幣収納部３２及び各金種別バラ紙幣収納部３４にはそれぞれ、上下方向に移動可能となっているステージ３０ａ，３２ａ，３４ａが設けられており、ステージ３０ａ，３２ａ，３４ａ上でバラ紙幣が積層状態で集積される。ここで、一括バラ紙幣収納部３２には、各金種別バラ紙幣収納部３４に割り当てられていない金種のバラ紙幣が収納される。また、各金種別バラ紙幣収納部３４には、それぞれ予め設定された特定の金種のバラ紙幣が収納される。例えば、第１〜第３金種別バラ紙幣収納部３４−１〜３４−３の内の第１及び第２金種別バラ紙幣収納部３４−１、３４−２に、利用頻度が高い一万円札を収納し、第３金種別バラ紙幣収納部３４−３に、千円札を収納し、一括バラ紙幣収納部３２に、五千円札と二千円札とを収納してもよい。尚、入金一時保留部３０、一括バラ紙幣収納部３２及び第１〜第３金種別バラ紙幣収納部３４−１〜３４−３は、最大収納量が同じである。
【０１３０】
金種別バラ紙幣収納部３４は、前述した新券出金機１の集積機構部８０ａと同様に、昇降するステージ３４ａとセンサとにより、金種別バラ紙幣収納部３４の概算の収納量を検知することが可能に構成されている。
【０１３１】
入金一時保留部３０の上端部の近傍には紙幣繰出部３０ｂが設けられており、バラ紙幣は紙幣繰出部３０ｂにより、入金一時保留部３０から一枚ずつ搬送部１８に繰り出され、また、搬送部１８から入金一時保留部３０に一枚ずつ繰り入れられる。一括バラ紙幣収納部３２の上端部の近傍には紙幣繰出部３２ｂが設けられており、バラ紙幣は紙幣繰出部３２ｂにより、一括バラ紙幣収納部３２から一枚ずつ搬送部１８に繰り出され、搬送部１８から一括バラ紙幣収納部３２に一枚ずつ繰り入れられる。各金種別バラ紙幣収納部３４の上端部の近傍にはそれぞれ紙幣繰出部３４ｂが設けられており、バラ紙幣は紙幣繰出部３４ｂにより、各金種別バラ紙幣収納部３４から一枚ずつ搬送部１８に繰り出され、また、搬送部１８から各金種別バラ紙幣収納部３４に一枚ずつ繰り入れられる。バラ紙幣の出金処理が行われる際には、各金種別バラ紙幣収納部３４又は一括バラ紙幣収納部３２から繰り出されたバラ紙幣が搬送部１８により識別部２０に送られ、識別部２０により識別された後にバラ紙幣投出部２４に送られる。
【０１３２】
筐体１２の下部には下部扉１２ａが設けられており、操作者は、下部扉１２ａを開くことにより入金一時保留部３０の内部にアクセスできる。また、入金一時保留部３０、一括バラ紙幣収納部３２及び各金種別バラ紙幣収納部３４は、筐体１２から前方に（図１０における左方向に）引き出し可能となっている引出ユニット１３に収容されている。操作者は、下部扉１２ａごと引出ユニット１３を前方に引き出し、一括バラ紙幣収納部３２や各金種別バラ紙幣収納部３４を引出ユニット１３から取り外したり、引出ユニット１３に装着したりできる。従って、紙幣処理機１０においても、一括バラ紙幣収納部３２や金種別バラ紙幣収納部３４に、紙幣を手で装填する手装填が可能である。
【０１３３】
また、搬送部１８には複数（図１０では２つ）の集積部４０が接続されており、搬送部１８から送られたバラ紙幣は、集積部４０に積層状態で集積される。また、所定枚数（例えば１００枚）のバラ紙幣からなる紙幣束に帯封紙を巻くことにより帯封紙幣を作成する帯封ユニット４２が、集積部４０の前方に設けられている。
【０１３４】
帯封ユニット４２の近傍にはアーム機構４４が設けられている。アーム機構４４は、集積部４０、及び、帯封ユニット４２の間で移動可能となっている。
【０１３５】
帯封紙幣揚送部４６には、図１０における上下方向に移動可能となっているステージ４６ａが設けられている。
【０１３６】
帯封処理が行われる際に、アーム機構４４は、集積部４０に集積された所定枚数のバラ紙幣を上下一対のアーム部により保持して、帯封ユニット４２に移動する。帯封ユニット４２において、アーム機構４４に保持された所定枚数のバラ紙幣の外周面に帯封紙が巻かれる。帯封処理が行われた後、アーム機構４４は帯封ユニット４２から帯封紙幣揚送部４６に移動して、ステージ４６ａ上に帯封紙幣を受け渡す。このような動作を繰り返すことにより、複数の帯封紙幣を帯封紙幣揚送部４６のステージ４６ａ上に集積させる。
【０１３７】
そして、アーム機構４４からステージ４６ａ上に１または複数の帯封紙幣が受け渡された後、ステージ４６ａが上方向に移動して帯封紙幣投出部４８の下端と同じレベルに達する。この状態でシャッター４８ａが開くと、操作者は帯封紙幣投出部４８の内部にアクセスしてステージ４６ａ上に集積されている帯封紙幣を取り出すことができる。また、ステージ４６ａがさらに上昇すると、ステージ４６ａ上に集積されている帯封紙幣を帯封紙幣搬送部６０に受け渡して、帯封紙幣搬送部６０から帯封紙幣をステージ４６ａ上に集積させることができる。
【０１３８】
筐体１２の内部における上部領域には、複数（図１０では四つ）の帯封紙幣収納部７０が設けられている。各帯封紙幣収納部７０の内部にはそれぞれ、上下方向に移動可能であるステージ７０ａが設けられている。帯封ユニット４２により作成された帯封紙幣は、帯封紙幣収納部７０の上端部に設けられた開口からステージ７０ａ上に積層状態で集積される。各帯封紙幣収納部７０から帯封紙幣を出す場合には、ステージ７０ａが上昇して、各帯封紙幣収納部７０の開口から帯封紙幣が上方に出される。各帯封紙幣収納部７０には、それぞれ予め設定された特定の金種の帯封紙幣が収納される。ただし、複数の帯封紙幣収納部７０のうち少なくとも一つは、金種が異なる帯封紙幣を混合状態で収納するようにしてもよい。
【０１３９】
各帯封紙幣収納部７０の上方には、帯封紙幣の搬送を行う帯封紙幣搬送部６０が設けられている。帯封紙幣搬送部６０は、複数の突起６０ａが等間隔で設けられた循環ベルト６０ｂを有しており、この循環ベルト６０ｂは図１０における時計回りの方向及び反時計回りの方向の両方向に循環移動可能である。帯封紙幣搬送部６０によって搬送される帯封紙幣は、循環ベルト６０ｂの下面に沿って突起６０ａにより引っ掛けられた状態で左右いずれかの方向に移動する。また、帯封紙幣揚送部４６の上端と帯封紙幣収納部７０との間に識別部６２が設けられている。識別部６２は、搬送される帯封紙幣の金種を、例えばその最下面の紙幣の撮像画像から識別する。識別部６２はまた、帯封紙幣の紙幣や結束帯の状態、例えば破れや汚れの有無等を識別する。なお、図１０の構成では識別部６２は搬送路の下側に設けているが、例えば搬送路の上側に設けてもよいし、搬送路の上下に設けてもよい。搬送路の上側に設けた場合には、識別部６２は、搬送される帯封紙幣の金種をその最上面の紙幣の撮像画像から識別する。
【０１４０】
紙幣処理機１０はまた、前述した各構成要素の制御を行う制御部３００を備えている。
【０１４１】
（紙幣処理機における収納量変更処理）
次に、紙幣処理機１０における収納量変更処理を、図１１〜１３を参照しながら説明する。この例は、共に一万円札を収納する第１金種別バラ紙幣収納部３４−１及び第２金種別バラ紙幣収納部３４−２の内、第２金種別バラ紙幣収納部３４−２が過収納状態であったところ、精査処理と共に、収納量変更処理を実行することによって、第２金種別バラ紙幣収納部３４−２の過収納状態が解消されることを示す例である。ここで、金種別バラ紙幣収納部３４の最大収納量は２２００枚とする。
【０１４２】
収納量変更処理を伴う精査処理は、図３及び図４のフローに準じて行われる。先ず、制御部３００は、第１金種別バラ紙幣収納部３４−１及び第２金種別バラ紙幣収納部３４−２の概算の収納量を比較する（図３のフローのステップＳ４参照）。初期状態では、図１３に示す通り、第１金種別バラ紙幣収納部３４−１の収納量は、１５００枚であり、第２金種別バラ紙幣収納部３４−２の収納量は、２３００枚である（過収納状態）。従って、第１金種別バラ紙幣収納部３４−１が収納部（Ａ）、第２金種別バラ紙幣収納部３４−２が収納部（Ｂ）となる。
【０１４３】
次いで、制御部３００は、図１１に実線の矢印で示すように、収納量が少ない第１金種別バラ紙幣収納部３４−１（収納部（Ａ））の紙幣が全て、入金一時保留部３０へ搬送され、入金一時保留部３０に収納される。この例では１５００枚の紙幣が移動し、収納部（Ａ）の収納量がゼロになると共に、入金一時保留部３０の収納量が１５００枚になる。
【０１４４】
次に、制御部３００は、第２金種別バラ紙幣収納部３４−２（収納部（Ｂ））から繰り出した紙幣を入金一時保留部３０に収納する（図３のステップＳ６、図１１の一点鎖線の矢印参照）。このときには、入金一時保留部３０がフルになるか、収納部（Ｂ）が空になるまで、収納部（Ｂ）から入金一時保留部３０へ紙幣が搬送される。図１３の例では、入金一時保留部３０がフル（つまり、２２００枚）になるまで収納部（Ｂ）から入金一時保留部３０へ紙幣が搬送される結果、７００枚の紙幣が、収納部（Ｂ）から入金一時保留部３０へ搬送される。収納部（Ｂ）の収納量は１６００（＝２３００―７００）枚になる。このときに、収納部（Ｂ）の過収納状態が解消される。
【０１４５】
次に、制御部３００は、入金一時保留部３０から全ての紙幣を繰り出すと共に、繰り出した全ての紙幣を、収納部（Ａ）に搬送しかつ、収納部（Ａ）に収納する（図３のステップＳ７、図１２の実線の矢印参照）。従って、２２００枚の紙幣が、収納部（Ａ）に収納される。収納部（Ａ）の収納量は２２００枚で確定する。入金一時保留部３０の収納量はゼロになる。
【０１４６】
収納部（Ｂ）に紙幣が残っているため、制御部３００は、収納部（Ｂ）から繰り出した全ての紙幣を、入金一時保留部３０に収納する（図４のステップＳ１０、図１１の一点鎖線の矢印参照）。収納部（Ｂ）は過収納状態が解消されているため、入金一時保留部３０がフルになって紙幣処理機１０が停止してしまうことはない。図１３の例では、１６００枚の紙幣が入金一時保留部３０に収納され、入金一時保留部３０の収納量が１６００枚になる一方、収納部（Ｂ）の収納量がゼロになる。
【０１４７】
そして、制御部３００は、入金一時保留部３０から全ての紙幣を繰り出して収納部（Ｂ）に収納する（図４のステップＳ１１、図１２の一点鎖線の矢印参照）。図１３の例では、１６００枚の紙幣が収納部（Ｂ）に収納される結果、収納部（Ｂ）の収納量が確定する。
【０１４８】
こうして、同じ金種の紙幣を収納する二つの金種別バラ紙幣収納部３４の間で紙幣を移送することにより、一方の金種別バラ紙幣収納部３４の過収納状態を解消しながら、二つの金種別バラ紙幣収納部３４それぞれの収納量を確定することができる。
【０１４９】
尚、収納量変更処理は、精査処理と共に行うのではなく、単独で行ってもよい点は、前述した通りである。
【０１５０】
（変形例）
尚、前記の構成では、第２金種別バラ紙幣収納部３４−２から繰り出した紙幣を、入金一時保留部３０を介して、第１金種別バラ紙幣収納部３４−１へ移送している。紙幣処理機１０は、入金一時保留部３０を介在しなくても、第２金種別バラ紙幣収納部３４−２から繰り出した紙幣を、識別部２０を通って、第１金種別バラ紙幣収納部３４−１に搬送することが可能である。そこで、収納量変更処理において、以下のように紙幣を搬送してもよい。
【０１５１】
具体的には図１５に示すように、収納部（Ａ）である第１金種別バラ紙幣収納部３４−１から繰り出した紙幣を、入金一時保留部３０に収納した後、収納部（Ｂ）の紙幣を入金一時保留部３０に収納せずに、入金一時保留部３０から繰り出した紙幣を収納部（Ａ）に収納する。これにより、収納部（Ａ）の収納量を確認する。
【０１５２】
その後、図１４に矢印で示すように、制御部３００は、収納部（Ｂ）である第２金種別バラ紙幣収納部３４−２から繰り出した紙幣を、識別部２０を通って、収納部（Ａ）である第１金種別バラ紙幣収納部３４−１に搬送し、第１金種別バラ紙幣収納部３４−１に、当該紙幣を収納する。制御部３００は、識別部２０の計数結果に基づいて、第２金種別バラ紙幣収納部３４−２から第１金種別バラ紙幣収納部３４−１への移送枚数を制御すればよい。こうして、収納部（Ａ）の収納量が、２２００枚で確定する。
【０１５３】
第２金種別バラ紙幣収納部３４−２から第１金種別バラ紙幣収納部３４−１への紙幣を移送した後、第２金種別バラ紙幣収納部３４−２（つまり収納部（Ｂ））から繰り出した紙幣を、入金一時保留部３０に収納すると共に、入金一時保留部３０から繰り出した紙幣を再び収納部（Ｂ）に収納する。これにより、収納部（Ｂ）の収納量が、１６００枚で確定する。
【０１５４】
こうすることでも、二つの収納部３４の間で紙幣を移送することが可能であり、収納量変更処理を伴う精査処理が可能である。この場合は、入金一時保留部３０への紙幣の収納及び入金一時保留部３０からの紙幣の繰り出し回数が減るため、処理時間が短くなると共に、搬送エラーの発生を抑制することが可能である。
【０１５５】
また、ここに開示する技術は、紙幣の処理を行う新券出金機１又は紙幣処理機１０に適用することに限らず、例えば小切手や商品券等を含む、有価媒体の処理を行う有価媒体処理装置に広く適用することが可能である、また、有価媒体は、紙葉類に限らず、硬貨等を含む。
【符号の説明】
【０１５６】
１  新券出金機（有価媒体処理装置）
１０  紙幣処理機（有価媒体処理装置）
２４  バラ紙幣投出部（出金部）
３０  入金一時保留部
３４  金種別バラ紙幣収納部
３００  制御部
８０  収納部
８０ａ  集積機構部（検知機構）
８２  出金部
８３  一時保留部
８１０  制御部
【図１】
2018128807.tif 000003
【図２】
2018128807.tif 000004
【図３】
2018128807.tif 000005
【図４】
2018128807.tif 000006
【図５】
2018128807.tif 000007
【図６】
2018128807.tif 000008
【図７】
2018128807.tif 000009
【図８】
2018128807.tif 000010
【図９】
2018128807.tif 000011
【図１０】
2018128807.tif 000012
【図１１】
2018128807.tif 000013
【図１２】
2018128807.tif 000014
【図１３】
2018128807.tif 000015
【図１４】
2018128807.tif 000016
【図１５】
2018128807.tif 000017